Podtech/llm-jp-corpus-v4-ja_patent huggingface dataset:
(57)【要約】【課題】従来の障害者専用駐車場はゲ−ト類がなく白線等での表示のみで、一般の健常者も勝手に駐車することが多くあり障害者に大変不自由を掛けていた、又これらの苦情が各施設にも打ちあがり管理者を常駐したりして費用の面でも問題視されていた。【解決手段】各施設に登録承認された障害者には携帯用の「赤外線照射キ−」が支給されて常時所持しており、その施設に駐車する場合は駐車装置の赤外線受光スイツチに「赤外線照射キ−」をかざすと瞬時に垂れ幕式のゲ−トが上昇して、自由に駐車することが出来る。【選択図】図１
2010043513.tif 000002
【特許請求の範囲】
【請求項１】
二本の柱上にゲ−ト装置を設け、携帯用赤外線等の電波発信器をゲ−ト開閉スイツチに作用して垂れ幕式のゲ−トを昇降させることを特徴とした障害者専用駐車装置。
【発明の詳細な説明】
【技術分野】
【０００１】本発明は、特定の者が専用に駐車することが出来る駐車場に関する。
【背景技術】
【０００２】公共の病院及び大型施設等には、障害者用の駐車スペ−スの確保は義務つけられておりますが、その確保方法は地面に白線での枠取り、または障害者の車椅子マ−ク書き、その他移動出来る障害物を立てたりして管理人がその都度障害物を取り除いたり等、特に技術的な対応はしていないのが現実であった。
【発名の開示】
【発明が解決しようとする課題】
【０００３】以上に述べた従来の駐車方法では拘束力がなく健常者が勝手に駐車するために障害者が常時駐車出来る環境ではなく遠いところにある一般駐車場をやむをえず利用していた。
【０００４】特に妊婦または車椅子等の歩行困難者は遠い所から病院の診察室まで歩き、いろいろトラブルが起つていた。
【０００５】本発明はこのような問題点を解決しようとするものであり、障害者認定登録された者が専用に駐車できることを目的にしたものである。
【課題を解決するための手段】
【０００６】各施設の障害者専用駐車場を利用したい者は予めその施設発行の携帯式「駐車場ゲ−ト開閉用赤外線照射付きキ−」を受領する必要があります。
【０００７】専用駐車場には通常、門型のア−ムからゲ−ト用垂れ幕が垂れ下がり駐車ができない仕組みである、または垂れ幕の代わりに鎖チエ−ンを垂らしても可。
【０００８】上述の門型のア−ムには垂れ幕を上下するための電動モ−タ−がとりつけてありスイツチの切り替えで垂れ幕は瞬時に上下することが出来る。
【０００９】以上のような垂れ幕上下昇降方式のゲ−トは万が一障害者の運転操作ミスでゲ−トに干渉しても車を損傷しないためである。
【００１０】障害者駐車場の決まりで車の左右前後には車椅子等の乗り、降ろしのため障害となる装置類を設置することができないために、本装置は車の駐車位置より遠隔な場所に二本の門柱を立てて、乗り、降りの障害にならないように配慮してある。
【００１１】以上の門柱の上部に前述の門型のア−ムに電動モ−タおよび垂れ幕の巻き取り部が取り付いており、同部分の同位置には電動モタ−を駆動、停止する為の制御装置と制御装置に入力するための、［０００６］にて説明した携帯式「駐車場ゲ−ト開閉用赤外線照射付きキ−」から照射される赤外線を受光するためのスイツチが取り付いてある、その全ては駐車する場合の障害にならないように配慮してある。
【００１２】以上が装置の概要であり、まず駐車する場合は垂れ幕式のゲ−ト前で一端停止して、予め所持しておいた携帯式「駐車場ゲ−ト開閉用赤外線照射付きキ−」を運転席側窓から門型ア−ムに取り付けてある受光スイツチ部目掛けて赤外線を照射すると瞬時に制御盤の指示で電動モ−タ−が駆動して垂れ幕式ゲ−トは上昇することで楽に所定の位置に進入駐車することができる。
【００１１】また、退場する場合は、一端後退して、入場の同じように「ゲ−ト開閉用キ−」を受光スイツチ目掛けて照射させると電動モ−タ−が逆転して垂れ幕を所定の位置まで下ろすことが出来る。
【発名の効果】
【００１２】上述したように本発明は各施設に登録許可された者だけが駐車できるもので一般の健常者による違法駐車を完全に防止でき、トラブル防止にも大変効果があり各施設の信頼性も向上するものである。
【００１３】また、本装置は比較的安価に設置できるために小規模商店等にも導入出来経営的な宣伝効果も期待出来る。
【発明の実施する為の最良の形態】
以下、本発明の実施形態を図１から図３に基づいて説明する。
【００１４】図１に於いて、１は門柱で左右２箇所にあり上部が連結されており、その連結部にはア−ム２が取り付き、またア−ムの先端には、電動モ−タ−３、及び、垂れ幕巻取り部５が取り付けてあり、４は垂れ幕を示す。
【００１５】図２に於いて、２本の門柱１の中央部に車８が進入した状態を示し、車８の前面にゲ−トの垂れ幕４が垂れ下がり、通常は車８に干渉するために完全に進入が出来ない状態を示す。
【００１６】図２に於いて、完全に駐車するためには、運転席から予め所持している  携帯式「赤外線照射キ−」（図面作成無し）を受光スイツチ７目掛けて照射させると受光スイツチ７が反応して制御装置６に指令することで電動モ−タ−５を駆動して垂れ幕４を瞬時は上昇する、これで車を前進して所定の位置に駐車することができる。
【００１７】特に障害者は駐車場に駐車後が大変注意が必要で、例えば車椅子等の出し入れに周辺の障害物に接触するような事故があるために、本発明の装置は２本の門柱は遠隔部に設置して障害者の駐車作業に影響の無いように配慮した。
【００１８】退出する場合は、進入時と反対の順序で操作で、確実に垂れ幕を下ろしてから退出する。
【図面の簡単な説明】
【００１９】
【図１】  本発明の実施形態を示す障害者用専用駐車装置の横外観図
【図２】  同障害者用専用駐車装置の後方から見た外観図
【図３】  同障害者用専用駐車装置の上方から見た外観図
【符号の説明】
【００２０】１  門柱
２  ア−ム
３  電動モ−タ−
４  垂れ幕
５  巻き取り部
６  制御装置
７  受光スイツチ
８  車
【図１】
2010043513.tif 000003
【図２】
2010043513.tif 000004
【図３】
2010043513.tif 000005
(57)【要約】【課題】帽子を風に飛ばされない為の工夫として、異物感や痛みを全く感じさせず、はた目にも全く見えず、ファッション性も損なわれない帽子を提供する。【解決手段】帽子の内側の両サイドのこめかみ部辺にボタン等を設け、ＳＪピンの一端に適度な長さのゴムひも輪を取り付け、ゴムひも輪をボタン等に装着したことを特徴とする風に飛ばされない帽子。【選択図】図１
2010043396.tif 000002
【特許請求の範囲】
【請求項１】
帽子の内側の両サイドのこめかみ部に当たる箇所にボタン等を設け、ＳＪピンの一端に適度な長さのゴムひも輪を取り付け、ゴムひも輪をボタン等に装着したことを特徴とする風に飛ばされない帽子。
【発明の詳細な説明】
【技術分野】
【０００１】  本発明は、帽子の内側にゴムひもでカツラ用ＳＪピンを装着した風に飛ばされない帽子に関するものである。
【背景技術】
【０００２】  従来、クリップで帽子のツバと衣服に留めるものやピンで帽子の外側を髪に留めるものや、あごひもで風に飛ばされるのを防止するものなどが多かった。又、内側の汗取りリボンにひもで係留した馬蹄形クシ付きのものもあった（特許文献１参照）。
【特許文献１】  特許公開２００３−３３１４号公報
【発明の開示】
【発明が解決しようとする課題】
【０００３】  その為に、次のような問題点があった。
（イ）クリップで帽子のツバと衣服に留めるものやピンで帽子の外側を髪や衣服に留めるのは、はた目に丸見えで、ファッション性も悪く、何かに当たって外れ易いというような難点があった。
（ロ）内側の汗取りリボンの側頭部辺や前頭部辺に付けた馬蹄形クシなどは、常に硬い異物感と痛みがあり、特に前頭部辺は時間と共にかなりの痛みが高じてくるという欠点があった。
（ハ）クシを係留したひもの根元が縫い付けられ固定されているので、風がない日で装着の必要がないときにも、常に帽子の中にあり邪魔になった。
（ニ）帽子だけ洗いたいときにも、固定取付けされたクシなども一緒に洗うほかなく、洗濯物と絡んでしまうことがあった。
（ホ）馬蹄形クシの金属で皮膚にきずをつけ、炎症を起こすことも多い。
本発明は、これらの問題点を解決する為になされたものである。
【課題を解決する為の手段】
【０００４】  帽子の内側の両サイドのこめかみ部に当たる箇所にボタン等を設ける。カツラ用ＳＪピンの一端に適当な長さのゴムひも輪を付け、ゴムひも輪をボタンに掛けて装着する。
以上を特徴とする風に飛ばされない帽子である。
【発明の効果】
【０００５】  風に飛ばされる心配がなく、装着の違和感も全くない。はた目に装着物が全く見えないので、ファッション性を気にする必要もない。非常な強風で、仮に帽子が頭から外れたとしても、ＳＪピンで髪にしっかり留めてあり、それがゴムひも輪で係留されているので、肩の辺りまでずれるだけで、身体から離れて飛んでいくこともなく、簡単に元に戻してかぶることができる。又、ＳＪピンを髪に留めて使用しているときも、帽子以外の何か余分なものが髪や皮膚に触れている感覚が全くなく、自然な感じである。それ故、風の心配がないときは、ＳＪピンをはずしたければ簡単にはずすことができるし、装着したままでも全く違和感がない。帽子を洗いたいときも、ＳＪピンは簡単にはずすことができるので容易に洗える。
【発明を実施するための最良の形態】
【０００６】  以下、本発明の実施の形態について説明する。
（イ）帽子（１）の内側の両サイドのこめかみ部に当たる箇所にボタン（２）等を設ける。
（ロ）カツラ用ＳＪピン（３）の一端にゴムひも輪（４）を取付ける。
（ハ）ゴムひも輪（４）をボタン（２）等に掛けて装着する。
本発明は以上のような構成で、これを使用する時は、適当な長さに調節したゴムひも輪（４）をボタン（２）に掛けて装着する。帽子（１）を軽く頭に乗せて、カツラ用ＳＪピン（３）がこめかみ部辺に見える状態にし、カツラ用ＳＪピン（３）で髪に留めて、あとは帽子（１）をしっかりかぶるだけ。ファッション帽子でもスポーツ用帽子でもどんな帽子でも、かぶり方は斜めかぶりでもどのようにでも好きなように利用できる。
【図面の簡単な説明】
【０００７】
【図１】本発明の本体の斜視図
【図２】本発明の留め具部品の斜視図（上：開いている状態、下：閉じている状態  を表している。）
【符号の説明】
【０００８】１  帽子
２  ボタン
３  カツラ用ＳＪピン
４  ゴムひも輪
【図１】
2010043396.tif 000003
【図２】
2010043396.tif 000004
(57)【要約】【課題】  本発明は、旅行中の安全なお金の隠し場所に関する旅行用隠しポケット付きソフトガードルを提供する。【解決手段】  ソフトガードル（１）の前面の裏側にポケット（２）を取り付け、開口部にチャック（３）を設け、ポケット（２）の開口部を開け閉めできるように工夫したことを特徴とするポケット付きソフトガードル。【選択図】図１
2010043395.tif 000002
【特許請求の範囲】
【請求項１】
ソフトガードル（１）の前面の裏側にポケット（２）を取り付け、開口部にチャック（３）を設け、ポケット（２）の開口部を開け閉めできるように工夫したことを特徴とするポケット付きソフトガードル。
【発明の詳細な説明】
【技術分野】
【０００１】  本発明は、旅行中の安全なお金の隠し場所に関する旅行用の隠しポケット付きソフトガードルに関するものである。
本発明は、女性が下着の上に着用するものである。
従来からあるソフト肌ガードルの裏側の腹にあたる部分にポケットを付けたものである。
【背景技術】
【０００２】  従来は、首から吊り下げたり、身体から浮いた状態のものが多く、それでは動きが気になり不安定であった。
従来からある隠しポケットでは、紙幣が身体から浮いた状態のものが多く、膨らみも目立ち、ファッション性を疑うものが多くて落ち着きも悪かった。
その上、薄着の季節ともなると、紙幣の膨らみを人の目にもさらすことにもなり危険であった。
【発明の開示】
【発明が解決しようとする課題】
【０００３】  そのため、次のような問題点があった。
従来の肌着、Ｔシャツおよび上着等にほどこしてある内緒ポケットでは、どうしても、かさばるため、紙幣が動くたびに重量感を感じてしまいがちであった。
従来、ポケット付きの肌着では、旅行の日程が長くなると、着替えが必要で、その分、枚数も増えて荷物も多くなっていた。
旅行時は、できるだけ荷物の量を少なくできるように、要望も多かった。
また、貴重品を収納するものとして、袋状のもので、首から吊下げるものある。
他には、ベルトに通して内側に、折り込む工夫がされていた。
どれもこれも、ファッション性をそこないかねないものが多かった。
そういった状況の中で、今回、発明したポケット付きソフトガードルは、ウエスト、お腹の膨らみは、ほとんど影響しない。
手が身体に触れることなく抜き取られた、という心配は解決できる。
【課題を解決するための手段】
【０００４】  ソフトガードル（１）の前面の裏側にポケット（２）を取り付ける。
開口部にチャック（３）を設け、ポケット（２）の開口部を開け閉めする。
以上のように構成されたポケット付きソフトガードル。
【発明を実施するための最良の形態】
【０００５】  以下、本発明の実施の形態について説明する。
ソフトガードル（１）の前面の裏側にポケット（２）を取り付ける。
開口部にチャック（３）を設け、ポケット（２）の開口部を開け閉めする。
本発明は、以上の構成よりなっている。
本発明の使い方を説明する。
紙幣を身体に密着させるように固定し、ゆれを気にならなくさせることと、表にあらわれる膨らみをおさえることができる。
そのためには、ソフトガードルの裏側の腹にあたる部分にポケットを取り付ける。
へそ部より、約２ｃｍ下げたところを開口部として、チャック、ファスナーなどを付け、たとえば、紙幣（１万円札）のサイズより、縦横共に、約２ｃｍずつ大きくしたポケットを取り付けることとする。
この部分は、関節、ウエストではないので、紙幣がねじれたりしわがよるようなこともなく、紙幣を折らずにそのまま収納できる。
抜き取られたり、落としたりした場合、非常にやっかいなことになりかねないパスポート、カード類も楽々入って、しかも、違和感ない、というのがうれしい。
将来、パスポートが運転免許証サイズになるという話も耳にしている。
そうなると、もう恐いものなしといえる。
【発明の効果】
【０００６】  着替えが少なくなる分、準備する枚数も少なくて、荷物も減る。
荷物の量を少なくできるような、要望にも応えられる。
今回、発明した、ポケット付きソフトガードルを使うことで、身体に密着させ、その上、相手の手が触れると気づく場所が発見できる。
手軽な状態で、安心して旅行が楽しめる。
普通の服装をした状態なので、外形を一見しただけでは、わからないように、お金を管理できる場所を提供できる。
今回、発明した、ポケット付きソフトガードルは、肌着の上に着用できるので、約１〜２週間は、洗濯しなくても大丈夫である。
【図面の簡単な説明】
【０００７】
【図１】  本発明の正面図である。
【図２】  本発明の他の実施例を示した正面図である。
【符号の説明】
【０００７】  １  ソフトガード
２  ポケット
３  チャック
【図１】
2010043395.tif 000003
【図２】
2010043395.tif 000004
(57)【要約】【課題】男性の夏場の暑さ等による発汗でべたついた股間の不快感を軽減する。【解決手段】ペニスを伸縮性のある両端が開口した筒状体で包むことで、ペニスと陰嚢及び陰毛との接触による不快感を軽減する。【選択図】図１
2010043384.tif 000002
【特許請求の範囲】
【請求項１】
ペニスを包む伸縮性と通気性を有する両端が開口した筒状体である。
【発明の詳細な説明】
【技術分野】
【０００１】
この発明は、ペニス用の着衣に関するものである。
【背景技術】
【０００２】
従来、男性の股間における不快感の解決に、パンツの改良や特殊な方法が考案されて来たが、ペニスに着衣する簡易な方法は無かった。
【特許文献１】特開２００７-０７０７８５号
【特許文献２】特開２００７-００２３４６号
【特許文献３】特開２００６-２９１３６８号
【特許文献４】特開２００６-２１９８００号
【特許文献５】特開２００６-２００１０８号
【特許文献６】特開２００５-０２３４８６号
【特許文献７】特開２００４-２２５２２８号
【特許文献８】特開２００３-０２７３０１号
【特許文献９】特開２００２-３３９１０２号
【特許文献１０】特開２００２-３０９４０２号
【特許文献１１】特開２００２-１２５９９１号
【特許文献１２】特開２００２-００４１０２号
【特許文献１３】特開平０８-１２７９０１号
【特許文献１４】特開平０８-０７４１０１号
【特許文献１５】特開平０６-２９４００１号
【特許文献１６】特表２００８-５３０３８３号
【特許文献１７】特表２００４-５３６９７７号
【特許文献１８】特表２００４-５２２８６５号
【特許文献１９】特表２００４-５０９２４２号
【特許文献２０】特表２００４-５０６８２１号
【特許文献２１】特表２００３-５０６５９３号
【特許文献２２】特表２０００-５１１２３８号
【発明の開示】
【発明が解決しようとする課題】
【０００３】
解決しようとする問題点は、男性の夏場の暑さ等による発汗でべた付いた股間の不快感である。
【課題を解決するための手段】
【０００４】
本発明は、ペニスを包むことで周囲との接触による不快感を軽減することを最も主要な特徴とする。
【発明の効果】
【０００５】
本発明のペニス用着衣は、ペニスと陰嚢及び陰毛との接触による不快感を軽減する。
【発明を実施するための最良の形態】
【０００６】
本発明のペニス用着衣の図１を参照に以下説明する。
１は、ペニス用着衣で、一例として、Ｐａペニスの亀頭部の一部及びＰｂペニスの胴部を覆った状態の図である。なお、図示しないが、ペニスの亀頭部を覆わないでペニスの胴部のみを覆っても良いし、ペニスの胴部の一部を残して覆っても良い。また、ペニス用着衣を長めに作り、使用者の好みにより折り返して長さを調節したり、ペニス用着衣を短く作り複数使用しても良い。
機能については、ペニスの形状の変化に追従する伸縮素材を使用すること。容易に着脱する事が出来、締め付け過ぎず、またズレ落ちることのない素材の伸縮率を考慮した形状及び寸法にすること。肌着として日常的な長時間の使用を考慮すること。通気性のある素材を使用すること。小便用に先端を解放すること。
【実施例１】
【０００７】
素材を抗菌防臭素材にしたり、より通気性のあるメッシュ素材にするなど、雑菌の繁殖を抑えることで、より不快感を軽減したり匂いを抑えることも可能となる。
【図面の簡単な説明】
【０００８】
【図１】本発明のペニス用着衣をペニスに装着した状態の側面図である。
【図２】本発明のペニス用着衣の斜視図である。
【符号の説明】
【０００９】
１    ペニス用着衣
Ｐａ  ペニスの亀頭部
Ｐｂ  ペニスの胴部  ＝  ペニスの亀頭部以外の部位
【図１】
2010043384.tif 000003
【図２】
2010043384.tif 000004
(57)【要約】【課題】農産物生産において農薬の使用は避けられないものがあるようです、しかし避けられないと言って使い続けるわけには行きません。病害虫対策は農薬以外の物質でもあるのではないでしょうか。本発明はこれらの課題の解消を目的に開発されたものです。【解決手段】ヨーグルトと乳ホエーの混合物が持つ液体粘度の性質を利用して葉の表面に生息するダニを窒息死させることでその障害を防ぐ方法。さらに、これらの作用は結果的に農薬使用を削減することになり、安全性の高い農作物生産が可能となります。【特許請求の範囲】
【請求項１】
あらかじめ乳酸菌が添加された牛乳（余剰牛乳および正味期限切れなどの廃棄牛乳も含む）を器に入れ込み、外部からの熱量を用いて温度を適温に保つことで、乳酸発酵が行われる。一定の時間経過を経てヨーグルト成分を含む発明液体が生成される。生成された液体を適量の水に薄め、果樹類（林檎、梨、ぶどう、桃、その他果樹類も含む）の木に散布することで、葉面に繁殖するダニ類（ナミハダニ、リンゴハダニ）を窒息死させることでその障害を排除する。などのヨーグルト成分を利用したダニ障害排除方法。
【発明の詳細な説明】
【技術分野】
【０００１】農産物の生産において農薬の使用は避けられない状況にあります。本発明は、ヨーグルト成分由来の抗菌作用及び含有する脂分の粘度作用を利用してダニ類を排除する方法である。
【背景技術】
【０００２】農産物生産に伴う農薬使用は避けられないものが伺われますが、消費する側にとっては少しでも農薬を使わない安全食品を求めています。したがって、農作物生産者においては農薬を使わない栽培方法を模索することに努力しなければなりません。本発明は、これらの課題の解消を目的に開発されたものである。
特許文献につきましては、調べましたが本発明に関連した殺ダニ剤文献はありませんでした。
【発明の開示】
【発明が解決しようとする課題】
【０００３】  現在、食生活において果樹を含めた農産物の高い安全性が求められています。本発明は農薬を用いて殺ダニ効果を得るのではなく、安全性の高いヨーグルトを用いて殺ダニ効果（窒息死効果）を得るのを目的としたダニ障害解消方法である。
【課題を解決するための手段】
【０００４】  長年のリンゴ栽培において、安全性の高い物質を用いた殺ダニ剤試験を模索してきた結果、ヨーグルト由来の抗菌作用と含有する脂分の粘度作用によるダニ類の窒息死作用を見出すことが出来ました。
ヨーグルトの抗菌効果においては、作物の葉面の生物的環境の改善を得るものである。
【発明の効果】
【０００５】  先ず、植物栽培において、農薬使用に伴う残留農薬成分含有課題があります。本発明物質を農薬の代替使用することで、農薬の散布回数が減ることになり、結果的に減農薬効果を得ることが出来る。
【発明を実施するための最良の形態】
【０００６】  先ず、製造過程において乳酸発酵から生成されるヨーグルトと同時に生成される乳ホエーを本発明では混合して使用する特長を持っている。したがって、本発明液体はヨーグルトと乳ホエーを混合したものであり、ダニの窒息作用に影響をおよぼす液体粘度を形成する成分もその混合物体から形成されるものである。
【実施例】
【０００７】  現在、行われているリンゴ栽培の殺ダニ作業を例に実施例を示す。花が咲き終わった６月初旬から収穫前の９月中旬までの間に１０回から１２回の葉面散布を行います。
先ず、６月ではヨーグルトを１０００倍に薄め、他の農薬と混合して使用します。１０００倍の理由は果樹が形成され敏感な時期です。したがって、ヨーグルト成分が薄くなっています。
７月８月９月ではヨーグルトを５００倍に薄めて散布します。この頃になると葉も丈夫に育ち、抵抗力も付いてきます。したがって、５００倍で散布を行います。
本発明液体による殺ダニ作用の確認は、試験室での顕微鏡による方法と栽培農家による方法で行われています。
顕微鏡を用いての方法では、ダニのついた葉を顕微鏡の台に固定し、拡大映像範囲にダニが移動し確認する方法で行いました。映像にダニが入るのを確認した時、あらかじめ用意したヨーグルト液を散布することで、ダニに液体が触れた状態から窒息死する状態を連続的に確認する方法で実施しました。
また、農家の農園を使った方法では、ダニが比較的多く確認できた区域を選択的に散布する方法で行い、散布後に葉に生息するダニの数を確認する方法で行いました。
それぞれの方法での結果は良好で本発明液体でのダニ窒息死効果を確認することが出来ました。
【産業上の利用可能性】
【０００８】  現在使われている殺ダニ剤（農薬）では、同じ薬剤を連続的に使うことや今年使った薬剤を来年も使うことは出来ない、などの性質を有しています、これらはダニが散布された農薬への抵抗力を持つことで殺虫能力が減少する働きが生じるからです。
これらの作用に対し、本発明方法ではダニを物理的作用である液体による窒息死を利用している。つまり、窒息死作用には遺伝子変異による抵抗力作用は働きにくいと思われます。したがって、何度でも連続的に使うことが出来るのです。
さらに、ヨーグルト成分は農薬とは違い生命体への毒性はありません。したがって、減農薬栽培が可能になるなどの特徴を持っています。
(57)【要約】      （修正有）【課題】ウイルス、バクテリア、菌類、カビ類によって発生する、動物、植物（全ての樹木、野菜、草花）ミツバチ、鶏などの病気の快復に有効な液体を提供する。【解決手段】木酢原液もしくは竹酢原液０．５ｌ、米アルコール液もしくは米焼酎０．５ｌ、米麹醸造液２ｌ、食塩５ｇ、水３．５ｌの５種類を基本的に混合した医薬部外品の液体、または該液体に草木、漢方薬の全てを乾燥、加工、粉末にして、混合した液体を動物、植物（全ての樹木、野菜、草花）ミツバチ、鶏などにスプレーする。【選択図】なし【特許請求の範囲】
【請求項１】
木酢原液０．５ｌ、米アルコール液０．５ｌ、米麹醸造液２ｌ、食塩５ｇ、水３．５ｌの５種類を基本的に混合した医薬部外品の液体である。
【請求項２】
木酢原液が竹酢原液でも良い。この液体の分量は変わることもある。また、草木、漢方薬の全てを乾燥させたり、加工したり、粉末にして、この液体に混合して使用する事も可能である。
【発明の詳細な説明】
【技術分野】
【０００１】  本発明は、動物、植物（全ての樹木、野菜、草花）、ミツバチ、鶏の病気快復に関するものである。
【背景技術】
【０００２】  従来、全てのウイルス、バクテリア、菌類、カビ類によって、犬猫では病気が増え、治りにくい病気が多くなり、畜産動物の鶏においても同じことが言える。ミツバチにおいては死に至っている。植物（全ての樹木を含む）においては、樹木の表皮にカビとかコケとか病原菌が付着して若い樹木から数百年も経っている古木まで、ここ数年起こっている地球温暖化により樹木が脅かされている。植物についても同じである。
【発明の開示】
【発明が解決しようとする課題】
【０００３】  これは、次のような問題点があった。従来、全てのウイルス、バクテリア、菌類、カビ類によって、犬・猫・畜産動物・鶏においてますますこれから複雑な病気が発生しようとしている。ミツバチにおいては、いろんな病気が増え、死に至り、絶滅寸前である。植物（全ての樹木を含む）に至っては、病気にかかった樹木は、花、実も年々つかなくなり、又、樹木も年々枝先の方から枯れ始め、雨、風、台風などで枯れた枝先や樹木は折れて無くなり、そのままの状態にしておくと最後にはどんな樹木も枯れてしまう。植物も同じ事が言える。本発明は、以上のような問題点（病気）を解決する為になされたものである。
【課題を解決するための手段】
【０００４】  上記目的を達成する為に本発明は木酢原液０．５ｌ、米アルコール液０．５ｌ、米麹醸造液２ｌ、食塩５ｇ、水３．５ｌの５種類を基本的に混合した医薬部外品で、動物、植物（全ての樹木、野菜、草花）、ミツバチ、鶏の病気の快復の為に使用するものである。
【発明の効果】
【０００５】  全てのウイルス、バクテリア、菌類、カビ類によって、特に犬猫においては、アトピー性皮膚炎、皮膚真菌症、外耳炎などいろんな数多くの病気を引き起こしている。そのような病気、炎症を起こすと患部を掻いたり、舐めたり、後ろ足を耳の中に入れたり、食欲が無くなったりし、自分の目でしっかり病気、炎症を確認する事が出来る。この動物、植物、ミツバチ、鶏の快復液体を患部にスプレーするか塗布してあげると病気の全ての原因を除去し回復出来る。回復すると、犬猫においては患部を掻いたり、舐めたり、後ろ足を耳の中に入れたりしなくなり、食欲も戻り、しっかり自分の目で回復した犬猫を確認することが出来る。又、畜産動物、鶏についても同じ事が言える。【０００６】  ミツバチ（養蜂）においても近年、全てのウイルス、バクテリア、菌類、カビ類の病気で死に至っている。ミツバチにこの開発した動物、植物、ミツバチ、鶏の快復液体をスプレーする事によって元気を取り戻すことが出来る。この開発した液体をスプレー中でも、スプレー後でも、舐めてもミツバチが死ぬ事はない。【０００７】  植物（全ての樹木を含む）においては、全てのウイルス、バクテリア、菌類、カビ類によって、特に地球温暖化の影響もあり、コケ、カビの全ての菌が樹木の表皮に付着して若い樹木から数百年も経っている樹木まで枯れ始めている。既に枯れているものも多い。病気にかかった樹木は、花も実も年々つかなくなり、又、樹木も年々枝先の方から枯れ始めている。雨、風、台風などで枯れた枝先や樹木は折れて無くなり、そのままの状態にしておくと最後にはどんな樹木も枯れてしまう。【０００８】  コケ、カビ類の全てが樹木の表皮に付着して病気にかかり、枯れる寸前の全ての樹木でも、今回開発した動物、植物、ミツバチ、鶏の快復液体を樹木の特に枝にたっぷり塗布する事で病気の全ての原因を除去し、樹勢回復を促す事が出来る。特に、梅、桜では花の数の多さ（違い）を目で確認することが出来る。又、野菜、草花についてもスプレーするか散布する事で病気の原因を除去し、元気を取り戻す事が出来、立派な有機野菜や草花を作る事が出来る。
【発明を実施するための最良の形態】
【０００９】  以下、本発明の実施例について説明する。木酢原液は、竹酢原液でもよい。米アルコール液は、米焼酎でも良い。米麹醸造液については米麹を使って醸造してあるものであれば良い。後は食塩と水を加えて混合すれば製品が出来上がる。この製品をもって動物、植物、ハチミツ、鶏などにスプレー、散布、塗布したりすれば良い。【００１０】  本発明は、以上の構成からなる。本発明を使用する時は、目的とする人以外に液体がかからないように防御準備して使用すること。
【実施例】
【００１１】  （省略）
【産業上の利用可能性】
【００１２】本発明は、動物、植物（全ての樹木を含む）、ミツバチ、鶏など関係する動物病院、園芸専門店など販売する産業分野で利用する事が出来る。
(57)【要約】【課題】ロータが高速回転するのでロータ頂部から潤滑油及び油が点火プラグに向かって飛んで点火プラグを濡らすので点火しないので点火プラグを濡らさせない。【解決手段】点火プラグにプラグの防湿カバーをかぶせるプラグ防湿カバーのロータの回転方向角と平行の方向である側枠を取り去りロータの回転方向と直角の方向角のプラグの防湿カバーを残して残したプラグの防湿カバーに何個所かの通気部を設ける。【選択図】図１
2010043635.tif 000002
【特許請求の範囲】
【請求項１】
燃焼室（６）の上手側に吸入回転弁枠（２）に収納された断面略半円形の吸入回転弁（１）をロータ（１４）の回転と係合して収納し、燃焼室の下手側に排気回転弁枠（１２）に断面略半円形の排気回転弁（１３）をロータ（１４）の回転と係合して収納し、燃焼室（７）の反対側に仕切回転弁枠（１７）に断面略半円形の仕切回転弁をロータの回転と係合して収納し仕切回転弁枠（１７）の上手側に排気口（１６）を設け、仕切回転弁枠（１７）の下手側に吸入口（１９）を設け、吸入口と吸入回転弁枠の間に弧状のロータ枠前（２０）を設け、排気口（１６）と排気回転弁枠（１２）の間に弧状のロータ枠後（１５）その中心にロータ（１４）を設け、ロータが高速回転するのでロータの回転により点火プラグに潤滑油及び油が飛んで付着して点火プラグが点火しないのを防ぐ為防湿カバーを設ける事を特徴としたプラグの防湿カバー。
【請求項２】
プラグの防湿カバーの両端に枠を設けない事を特徴とした請求項１、記載のプラグの防湿カバー
【請求項３】
プラグの防湿カバーに何個所かの通気部（４），（１１）、（１０）を設ける事を特徴とした請求項１、２、記載のプラグの防湿カバー。
【請求項４】
プラグの防湿カバー（３Ａ）の中程より両側を低くした事を特徴とした請求項１、２、３記載のプラグの防湿カバー。
【発明の詳細な説明】
【技術分野】
【０００１】点火プラグが濡れると点火しないのでプラグを濡れさせない事に関するものである。
【背景技術】
【０００２】無
【発明の開示】
【発明が解決しようとする課題】
【０００３】ロータが高速回転するのでロータの先端と燃焼室に間があるので燃焼室にロータの先端から潤滑油及び油が飛んで燃焼室内の点火プラグを濡らすので点火プラグを濡らさないでプラグの防湿カバー内にたやすく混合ガスが入りそして爆発した燃焼ガスが簡単にプラグの防湿カバー外に出す。
【課題を解決するための手段】
【０００４】点火プラグに防湿カバーをする。プラグの防湿カバーをロータの回転と平行の辺を取り去ってロータの回転と直角方向の辺だけ残して残した部分に何個所かの通気部を設ける。通気部はロータから飛んで来る方向と出来れば角度を大きくした方向にすると良いと思う。
【発明の効果】
【０００５】プラグの防湿カバーに高速回転するロータより飛んで来る潤滑油及び油を防ぐ事により点火プラグに付着しないので順調に点火しそしてプラグ防湿カバー内に混合ガスを送る事が出来そして爆発した燃焼ガスを脇の通気部及びプラグの防湿カバーの通気部より出す事が出来る。
【発明を実施するための最良の形態】
【０００６】燃焼室６、の点火プラグ８を何個所かの通気部４、１１、９を設けたプラグ防湿カバーをかぶせる。プラグの防湿カバーはロータの回転方向角と平行の部分は取り去りロータの回転方向角と直角の辺は残す．通気部の方向はロータから潤滑油及び油が飛んで来る方向角と出来るだけ角度を大きくするようにする。
【実施例】
【０００７】プラグの防湿カバー３Ａの中程を高く両側を低くする事もある。両側の開きを広くする事によりプラグの防湿カバー内に混合ガスが簡単に入りそして爆発した燃焼ガスがプラグの防湿カバー内から出やすい。
【産業上の利用分野】
【０００８】自動車産業に利用出来る。
【図面の簡単な説明】
【０００９】
【図１】プラグの防湿カバーを含むロータリーエンジンの全体図
【図２】Ａ−Ａ断面図
【図３】Ｂ−Ｂ断面図
【符号の説明】
【００１０】吸入回転弁            １
吸入回転弁枠          ２
プラグの防湿カバー    ３、５、１０、３Ａ
通気部                ４、１１、９
燃焼室                ６
燃焼室枠              ７
点火プラグ            ８、８Ａ
排気回転弁枠          １２
排気回転弁            １３
ロータ                １４
ロータ枠後            １５
排気口                １６
仕切回転弁枠          １７
仕切回転弁            １８
吸入口                １９
ロータ枠前            ２０
ロータ側枠            ２１
ロータ側枠            ２２
つなぎ                ４Ａ、４Ｂ、１１Ａ、１１Ｂ、９Ａ、９Ｂ
【図１】
2010043635.tif 000003
【図２】
2010043635.tif 000004
【図３】
2010043635.tif 000005
(57)【要約】【課題】吸気工程、排気工程などの時に、燃焼室に飛び出さない、ピストンバルブを得る。【解決手段】吸気工程、排気工程などの時に、燃焼室から見れば、引っ込む、ピストンバルブにする。【選択図】図２
2010043634.tif 000002
【特許請求の範囲】
【請求項１】
吸気工程、排気工程などの時に、燃焼室に飛び出さない、ピストンバルブ（燃焼室から見れば、吸気工程、排気工程などの時に、燃焼室から引っ込む、ピストンバルブ。）。
【発明の詳細な説明】
【技術分野】
【０００１】  本発明は、４ストローク以上の、１サイクルエンジン（特願２００３−１６７１８１。）に使用される、ピストンバルブに関する。
【背景技術】
【０００２】  従来のピストンバルブにおいては、吸気工程、排気工程などの時に、燃焼室に、バルブが、飛び出していた。
【発明が解決しようとする課題】
【０００３】  従来のピストンバルブでは、吸気工程、排気工程などの時に、燃焼室に飛びだしていたが、圧縮工程の時、本当に圧縮する工程よりも、膨張工程の時、本当に膨張する工程の方を、ピストンのストロークで言うならば長く取るエンジンに、従来のピストンバルブで対応した時、本当に圧縮する工程が、ピストンのストロークで言うならば短かくなる事であり、本当に圧縮する工程が短かくなると言う事は、理想の圧縮比を得る為に、燃焼室の大きさも小さくなり、バルブのリスト量を得るのも困難になるが、バルブのリスト量を得るのに心配のいらないバルブを得る、事を目的としている。
【課題を解決するための手段】
【０００４】  本発明は、上記目的を達成する為に、吸気工程、排気工程などの時に、燃焼室に、飛び出さない、ピストンバルブ（燃焼室から見れば、吸気工程、圧縮工程などの時に、燃焼室から引っ込む、ピストンバルプ。）、にする。
【発明の効果】
【０００５】  上述したように、本発明の、吸気工程、排気工程などの時に、燃焼室に、飛び出さない、ピストンバルブにする事に因り、バルブのリフト量を考えなくても良い、燃焼室の形状が形成できる。
【０００６】  また、バルブのリスト量を考えなくても良い、燃焼室の形状が形成できる、と言う事は、混合気、又は、空気の、爆発回転数、燃焼室に対しての流れ、圧縮比、ピストンの形状、エンジンの目的など、違いは色々あるが、理想の燃焼室の形状に、一歩、近付く。
【０００７】  そして、圧縮工程の時、本当に圧縮する工程よりも、膨張工程の時、本当に膨張する工程の方を、ピストンのストロークで言うならば長く取る方法のエンジンにした時（つまり、理想の圧縮比を得る為に、何もしない時よりも、燃焼室の大きさを小さくした時。）、バルブのリスト量を考えなくても良い、燃焼室の形状が形成できると言う事は、理想の燃焼室の形状の形成に、一歩、近付く。
【発明を実施するための最良の形態】
【０００８】  以下、本発明の実施の形態を図１〜図２に基づいて説明する。【０００９】  図１における実施例では、吸気工程、排気工程などの時に、燃焼室に飛び出さない、ピストンバルブの縦断面図であり、両方のピストンバルブは、閉じている。【００１０】  図２における実施例では、図１に示される、吸気工程、排気工程などの時に、燃焼室に飛び出さないピストンバルブの、片方のピストンバルブの縦断面図の拡大図であり、ピストンバルブは、開いている。【００１１】  また、図１、図２で重要な事は、吸気弁、排気弁、又は、吸気工程の時、上死点で開き下死点で閉じる弁、又は、圧縮工程の時、下死点で開き上死点の手前の間で閉じる弁、などの、弁の種類には関係がなく、吸気工程、排気工程などの時に、燃焼室に、飛び出さない、ピストンバルブの、閉じている時と、開いている時、を見る事である。
【図面の簡単な説明】
【００１２】
【図１】吸気工程、排気工程などの時に、燃焼室に飛び出さないピストンバルブの縦断面図であり、ピストンバルブは閉じている。
【図２】吸気工程、排気工程などの時に、燃焼室に飛び出さないピストンバルブの、片方のピストンバルブの縦断面図の拡大図であり、ピストンバルブは開いている。
【符号の説明】
【００１３】１  燃焼室に飛び出さない弁。
２  プラグ、又は、燃料噴射器、又は、プラグと燃料噴射器。
３  吸気管、又は、排気管
４  ピストン
【図１】
2010043634.tif 000003
【図２】
2010043634.tif 000004
(57)【要約】【課題】  本発明は上記の問題に鑑み資源保存と電力生産を計る波力水車発電システムを提供せんとするものである。【解決手段】  船及び支柱に上下装置を設置し、上下装置により水車及び発電機を上下移動自在にし、水車の先端を水中に侵入させて、波力及び潮流で水車と発電機を作動させて発電生産をする。【選択図】図１
2010043629.tif 000002
【特許請求の範囲】
【請求項１】
船（１）の両サイドに油圧式上下装置（２）を取り付け、それぞれの該上下装置（２）のピストン（３）の先端に発電機（４）と軸受（５）を載せ、該軸受（５）にシャフト（６）を浸入させて、該シャフト（６）を介して該発電機（４）と波力水車（７）を結合し回転自在にする、該上下装置（２）により該発電機（４）と該波力水車（７）を上下に移動自在にし、該船（１）を波及び潮の流れの速い場所に移動して錨（８）を下ろし、該波力水車（７）の先端を水中に侵入させて波力及び潮流により該波力水車（７）と該発電機を作動し電力をバッテリー（９）に充電するように構成されている波力及び潮流を利用した波力水車発電システム。
【請求項２】
海岸付近に波及び潮流の発生しやすい場所に支柱（１２）を設置し、該支柱（１２）の上に油圧式上下装置（２）を取り付け、該上下装置（２）のピストン（３）の先端に発電機（４）と軸受（５）を載せ、該軸受（５）にシャフト（６）を浸入させて、該シャフト（６）を介して該発電機（４）と波力水車（７）を結合して回転自在にする、該上下装置（２）により該発電機（４）と該波力水車（７）を上下に移動自在にし、該波力水車（７）の先端を水中に侵入させて波力及び潮流により該波力水車（７）と発電機を作動するように構成されている波力及び潮流を利用した波力水車発電システム。
【発明の詳細な説明】
【技術分野】
【０００１】    本発明は、電力生産を目標とする波力水車発電システムに関するものである。
【背景技術】
【０００２】    従来の火力発電は、石油価格の暴騰によりコスト高である。原子力発電は、放射能の漏れの危険性あり、現在は地震により破壊されて操業停止状態である。太陽光発電は、パネルの生産に大量の資源と大量の動力が消費される、消費者の負担も大である。家庭用燃料電池は、ガスは有限であるから未来は消滅する、製品が大きくて部屋と庭の空間を狭くする。【０００３】    本発明は、自然（波力と潮流）エネルギーなので経済的である。地球上には波力と潮流は大量に存在する。日本国は海に囲まれているので利用度が絶大である。
【発明の開示】
【発明が解決しょうとする課題】
【０００４】    本発明は、上記の問題点に鑑み資源保存と電力生産を計る、波力水車発電システムを提供せんとするものである。
【課題を解決するための手段】
【０００５】  請求項１、船（１）の両サイド及び船尾に油圧式上下装置（２）を取り付け、それぞれの該上下装置（２）のピストン（３）の先端に発電機（４）と軸受（５）を載せ、該軸受（５）にシャフト（６）を浸入させて、該シャフト（６）を介して該発電機（４）と波力水車（７）を結合し回転自在にする、該上下装置（２）により該発電機（４）と該波力水車（７）を上下に移動自在にし、該船（１）を波及び潮の流れの速い場所に移動して錨（８）を下ろし、該波力水車（７）の先端を水中に侵入させて波力及び潮流により水車（７）と発電機を作動しバッテリー（９）に充電する。
請求項２、波及び潮流の発生しやすい場所に支柱（１２）を設置し、該支柱（１２）の上に油圧式上下装置（２）を取り付け、該上下装置（２）のピストン（３）の先端に発電機（４）と軸受（５）を載せ、該軸受（５）にシャフト（６）を浸入させて、該シャフト（６）を介して該発電機（４）と波力水車（７）を結合して回転自在にする、該上下装置（２）により該発電機（４）と該波力水車（７）を上下に移動自在にし、該波力水車（７）の先端を水中に侵入させて波力及び潮流により水車（７）と発電機を作動する。
【発明の効果】
【０００６】    本発明は、自然（波力及び潮流）エネルギーにより燃料が不必要なので経済効果が抜群である。
【発明を実施するための最良の形態】
【０００７】  石油の暴騰で各方面に大打撃を与えているので本発明を必要とし、操業停止中の漁船が多いので活用が容易である、地球上は海の面積が広大なので本発明の設置が容易である。
【実施例１】
【０００８】  船を波及び潮の流れの速い場所に移動させて錨を下ろし、上下装置のピストンを下げて波力水車の先端部分を水中に入れると波及び潮流が水車に当たり水車と発電機が回転し発電された電力をバッテリーに充電し蓄積された電力を各方面に供給する。
【実施例２】
【０００９】  水位に応じて上下装置のピストンを上下に操作し波力水車の先端部分を水中に入れると波及び潮流が水車に当たり水車と発電機が回転し発電された電力を各方面に送電をする、台風時は上下装置で水車を水中から引き上げる。
【産業上の利用可能性】
【００１０】    現社会は電化時代であるので今後ますます電力の需要が拡大するので各産業界から必然的に求められる。
【図面の簡単な説明】
【００１１】
【図１】船の錨を降ろして潮流で操業している状態を示した正面図である。
【図２】支柱に設置した水車が潮流で操業している状態を示した正面図である。
【符号の説明】
【００１２】１・・船                          ７・・波力水車
２・・油圧式上下装置              ８・・錨
３・・ピストン                    ９・・バッテリー
４・・発電機                      １０・海面
５・・軸受                        １１・海底
６・・シャフト                    １２・支柱
【図１】
2010043629.tif 000003
【図２】
2010043629.tif 000004
(57)【要約】      （修正有）【課題】従来において、各発電装置の有効利用は、広範囲に作用されているが、化石等の燃料による発電及び、山等などのダム建設により、地球温暖化の原因となる発電装置を軽減できることと、海の海水をダム化することにより従来の発電を稼動する元（火力、水力等）に比べ、資源活用ができる。【解決手段】海ダムの設置場所や容量等は、ダム用壁面（２）の高さと幅により決まるので陸地（９）の面積や地質等で、発電装置（４）及び海水を真水に変える逆浸透膜浄水装置（５）を設定し、海ダムの発電容量及び浄水容量を決めることにより解決する。【選択図】図１
2010043616.tif 000002
【特許請求の範囲】
【請求項１】
海の海抜による落差を利用した、海水力発電。
【請求項２】
海の海抜による落差を利用した水圧で海水力発電を利用した、海水を真水に変える装置。
【発明の詳細な説明】
【技術分野】
【０００１】
本発明は、海ダム発電装置に関する。
化石等の燃料を熱源とし発電する装置及び、山地ダム等の発電装置は、地球温暖化の要因になる、海ダム発電装置なら現在の発電方法より、環境問題等を軽減できる。          
【背景技術】
【０００２】
従来、火力、水力発電等の発電は使用されているが、従来以上の地球温暖化防止に伴う発電装置を実現できる。  
【特許文献１】特許出願平８−１３６３５３
【発明の開示】
【発明が解決しようとする課題】
【０００３】
従来の構造が有していた発電方法によると、地球温暖化防止及び発電の能力を十分発揮できない点に問題にある。
【課題を解決するための手段】
【０００４】
本発明は、上記目的を達成するために、海をダム化として、山ダム同様、水の落差により発電を行い、落下した海水を真水に変換することにある。
【発明の効果】
【０００５】
従来の装置に比べ、地球温暖化（火力発電、山ダム水力発電）効果は、軽減できる。
【０００６】
従来の装置（風力、水力、太陽光発電）に比べ、稼動時間延長による、発電能力効果は、向上する。
【０００７】
発電に伴い、落下した海水を真水に変換することにより、飲料水等の確保ができる。
【発明を実施するための最良の形態】
【０００８】
以下、本発明の形状を図１に基づいて、説明する。
【０００９】
図１においては、本発明装置のフロー図面である。
【実施例】
【００１０】
図１において、構造図及び作動原理を説明する。
【００１１】
構造図において、海ダムを作り、落下パイプ（３）等により落差を設け、海水を発電装置（４）に送り込み、逆浸透膜装置（５）により真水に変換する原理である。
【産業上の利用可能性】
【００１２】
従来の発電装置に比べ、地球温暖化防止対策及び、発電能力が向上する。
【００１３】
海水を真水に変換する逆浸透膜装置は、海水に高圧力を加え真水に精製するため、従来の逆浸透膜装置に比べ、本発明の装置は、落差による水圧が逆浸透膜装置に入るため、高圧力にする負担が減る。
【００１４】
離島の電力及び、飲料水の確保ができる。
【００１５】
災害時の電力及び、飲料水の確保ができる。
【図面の簡単な説明】
【００１６】
【図１】本発明品のフロー図である。
【符号の説明】
【００１７】
・  海
・  ダム用壁面
・  海水給水用落下パイプ
・  発電装置
・  海水を真水に変える逆浸透膜浄水装置
・  排水用パイプ
・  発電供給電源ケーブル
・  浄水供給パイプ
・  陸地
【図１】
2010043616.tif 000003
(57)【要約】【課題】シリンダヘッド素材の吸気ポート部分の形状がずれた場合であってもエッジ角度のずれの発生を抑制することができる吸気ポートカッタを提供する。【解決手段】  吸気ポートカッタ（１００）は、シリンダヘッド素材（２００）にタンブル流の強度を調整するためのエッジ（６０）を加工するための吸気ポートカッタであって、素材当たり面（１０１）が凹曲面形状を有することを特徴とするものである。吸気ポートカッタによれば、シリンダヘッド素材の吸気ポート部分の形状がずれた場合であっても、素材当たり面が凹曲面形状を有することから、エッジ角度のずれの発生を抑制することができる。【選択図】図２
2010184312.tif 000002
【特許請求の範囲】
【請求項１】
シリンダヘッド素材にタンブル流の強度を調整するためのエッジを加工するための吸気ポートカッタであって、
素材当たり面が凹曲面形状を有することを特徴とする吸気ポートカッタ。
【発明の詳細な説明】
【技術分野】
【０００１】
本発明は、吸気ポートカッタに関する。
【背景技術】
【０００２】
従来、内燃機関の吸気ポートの下流端部には、エッジが設けられている。このエッジの角度を適宜設定することによって、タンブル流の強度を調整することができる。例えば、特許文献１には、エッジをスロートカッタによって加工する状態が図示されている。
【先行技術文献】
【特許文献】
【０００３】
【特許文献１】特開２００７−４６４５７号公報
【発明の概要】
【発明が解決しようとする課題】
【０００４】
ところで、シリンダヘッド素材の鋳造時に吸気ポート部分を形成するための中子（型）の位置がずれる場合がある。中子の位置ずれが生じた場合、シリンダヘッド素材の吸気ポート部分の形状がずれる。その結果、エッジの角度が当初の設計形状からずれるおそれがある。
【０００５】
本発明は、シリンダヘッド素材の吸気ポート部分の形状がずれた場合であってもエッジ角度のずれの発生を抑制することができる吸気ポートカッタを提供する。
【課題を解決するための手段】
【０００６】
本発明の吸気ポートカッタは、シリンダヘッド素材にタンブル流の強度を調整するためのエッジを加工するための吸気ポートカッタであって、素材当たり面が凹曲面形状を有することを特徴とするものである。
【０００７】
本発明に係る吸気ポートカッタによれば、シリンダヘッド素材の吸気ポート部分の形状がずれた場合であっても、素材当たり面が凹曲面形状を有することから、素材当たり面が直線形状または凸曲面形状を有する場合に比較して、エッジ角度のずれの発生を抑制することができる。
【発明の効果】
【０００８】
本発明によれば、シリンダヘッド素材の吸気ポート部分の形状がずれた場合であってもエッジ角度のずれの発生を抑制することができる吸気ポートカッタを提供することができる。
【図面の簡単な説明】
【０００９】
【図１】図１は、エッジを有する内燃機関の模式的断面図である。
【図２】図２（ａ）は、吸気ポートカッタでシリンダヘッド素材を加工する様子を示す模式的断面図である。図２（ｂ）は、吸気ポート部分の形状がずれた様子を示す模式的断面図である。
【発明を実施するための形態】
【００１０】
以下、本発明を実施するための形態を説明する。
【実施例１】
【００１１】
本発明の実施例１に係る吸気ポートカッタ１００について説明する。まず、吸気ポートカッタ１００で加工されるエッジ６０について説明する。図１は、エッジ６０を有する内燃機関１０の模式的断面図である。内燃機関１０は、燃焼室２０、吸気ポート３０、排気ポート４０、バルブ５０およびエッジ６０を有する。バルブ５０が開の場合、吸気は吸気ポート３０を流動して燃焼室２０に流入する。吸気ポート３０を流動する吸気の一部は、エッジ６０を通過する際に剥離する。剥離した吸気は、背面流となる。剥離しなかった吸気は、燃焼室２０の上側を通過してタンブル流となる。
【００１２】
エッジ６０の角度（以下、エッジ角度と称する）によって、吸気の剥離の状態が変化する。吸気の剥離状態が変化すると、タンブル流と背面流との流量比が変化する。タンブル流と背面流との流量比が変化すると、タンブル流の強度が変化する。したがって、エッジ角度を適宜設定することによって、タンブル流の強度を調整することができる。
【００１３】
続いて、吸気ポートカッタ１００について説明する。図２（ａ）は、吸気ポートカッタ１００でシリンダヘッド素材２００を加工する様子を示す模式的断面図である。吸気ポートカッタ１００は、鋳造成形されたシリンダヘッド素材２００の吸気ポート部分２１０と燃焼室２０とを繋ぐための貫通加工をする際に用いられる刃具である。
【００１４】
吸気ポートカッタ１００は、素材当たり面１０１を有する。素材当たり面１０１は、シリンダヘッド素材２００を切削する面である。吸気ポートカッタ１００によって切削されることによって、シリンダヘッド素材２００の吸気ポート部分２１０にエッジ６０が形成される。
【００１５】
本実施例において、素材当たり面１０１は、凹曲面形状になっている。本実施例においては、素材当たり面１０１の凹曲面の中心は、後述する中子支持部２２０の近傍にある。
【００１６】
ところで、シリンダヘッド素材２００の鋳造成形は、片持ち支持された中子（型）を有する型枠の中に、アルミ素材等を鋳込むことによって行われる。この鋳込み時に、湯流れによって中子が中子支持部２２０（中子の片持ち支持される部分）を中心に浮き方向および沈み方向にずれる場合がある。中子の位置がずれた場合、シリンダヘッド素材２００の吸気ポート部分２１０の形状もずれるおそれがある。図２（ｂ）は、吸気ポート部分２１０の形状がずれた様子を示す模式的断面図である。具体的には、図２（ｂ）は、吸気ポート部分２１０の形状が中子支持部２２０を中心に浮き方向および沈み方向にずれた場合を図示している。浮き方向にずれた場合、吸気ポート部分２１０の輪郭線は、輪郭線２１１のようになる。沈み方向にずれた場合、吸気ポート部分２１０の輪郭線は、輪郭線２１２のようになる。
【００１７】
ここで、吸気ポートカッタ１００の素材当たり面１０１が直線形状または凸曲面形状の場合には、吸気ポート部分２１０の形状がずれた場合、吸気ポートカッタ１００と吸気ポート部分２１０の交差部で形成されるエッジ角度は当初の設計値からずれてしまう。このエッジ角度のずれが生じると、タンブル流の強度が当初の設計値から変化してしまう。
【００１８】
これに対して、本実施例に係る吸気ポートカッタ１００によれば、素材当たり面１０１が凹曲面形状を有することから、吸気ポート部分２１０の形状がずれた場合であっても、エッジ角度のずれの発生を抑制することができる。それにより、エッジ角度のずれによるタンブル流の設計値からの変化を抑制することができる。
【００１９】
以上本発明の好ましい実施形態について詳述したが、本発明はかかる特定の実施形態に限定されるものではなく、特許請求の範囲に記載された本発明の要旨の範囲内において、種々の変形・変更が可能である。
【符号の説明】
【００２０】
１０  内燃機関
３０  吸気ポート
６０  エッジ
１００  吸気ポートカッタ
１０１  素材当たり面
２００  シリンダヘッド素材
【図１】
2010184312.tif 000003
【図２】
2010184312.tif 000004